(57)【要約】      （修正有）【課題】被切断物に対する切断刃の刃先の押圧力を調整する調整手段を備えた切断工具において、被切断物に対する切断刃の刃先の押圧力を、簡単かつ迅速に設定することができる切断工具の押圧力設定装置及び切断工具の押圧力設定方法を提供する。【解決手段】押圧力設定装置１は、本体部１０と、被切断物を貫通するための貫通力を負荷する貫通部材１１と、弾性部材１３を介して貫通部材１１に貫通力を負荷する負荷部材１２と、貫通部材により被切断物に負荷される貫通力に対応して負荷部材とともに移動するゲージ部材１４と、ゲージ部材１４を停止させる停止部材１５と、を備えている。目盛Ｍは、切断工具の刃先による押圧力を調整手段で設定するための数値を、貫通部材１１が被切断物を貫通するまでにゲージ部材１４が移動する移動量に対応して読み取り可能に設けられている。【選択図】図３
2015031615.tif 000002
【特許請求の範囲】
【請求項１】
被切断物に対する切断刃の刃先の押圧力を調整する調整手段を備えた切断工具において押圧力を設定するための押圧力設定装置であって、
被切断物を貫通する貫通部が形成され、当該貫通部が被切断物を貫通するための貫通力を負荷する貫通部材と、
弾性部材を介して前記貫通部材に貫通力を負荷する負荷部材と、
前記負荷部材と接続され、前記貫通部材により被切断物に負荷される貫通力に対応して前記負荷部材とともに移動するゲージ部材と、
前記貫通部が被切断物を貫通したときに前記ゲージ部材を停止させる停止部材と、
を備え、
前記調整手段において設定する値を読み取り可能な目盛が、前記貫通部材が被切断物を貫通するまでに前記ゲージ部材が移動する移動量に対応して設けられていることを特徴とする切断工具の押圧力設定装置。
【請求項２】
前記停止部材は、前記ゲージ部材が挿通される孔部を有しており、
前記貫通部材は前記停止部材に係止可能な係止部を備えており、
前記貫通部が被切断物を貫通したときに前記係止部が前記停止部材に係止し、前記停止部材が前記ゲージ部材に接触することにより前記ゲージ部材を停止させることを特徴とする請求項１に記載の切断工具の押圧力設定装置。
【請求項３】
前記貫通部材を貫通力の負荷方向と反対方向に付勢する付勢部材を備えたことを特徴とする請求項１または請求項２に記載の切断工具の押圧力設定装置。
【請求項４】
被切断物に対する切断刃の刃先の押圧力を調整する調整手段を備えた切断工具と、請求項１ないし請求項３のいずれか１つに記載の切断工具の押圧力設定装置と、を用意し、
被切断物を前記貫通部材の貫通部に対向させて配置し、
前記負荷部材を操作して前記貫通部材により貫通力を増大させながら被切断物を押圧し、
前記貫通部材が被切断物を貫通したときの目盛の値を読み取り、その目盛の値に基づき前記切断部材の調整手段により押圧力を設定することを特徴とする切断工具の押圧力設定方法。
【発明の詳細な説明】
【技術分野】
【０００１】
本発明は、被切断物に対する切断刃の刃先の押圧力を調整する調整手段を備えた切断工具において押圧力を設定するための押圧力設定装置及び切断工具の押圧力設定方法に関する。
【背景技術】
【０００２】
従来より、被切断物、例えば、壁紙、カーペット、薄板等の建築資材、を切断するために、カッターナイフ等の切断刃を備えた切断工具が用いられている。これら被切断物を切断工具で切断する際に、被切断物を切断刃により過大な力で押圧すると、切断刃の刃先が被切断物を貫通し、切断する必要がない壁、床等に到達するおそれがあった。これにより、壁、床等が切断刃で傷つけられることがあった。また、切断刃の刃先が損傷し、切断作業を適切に行うことができなくなることがあった。
【０００３】
このような問題を解消するため、被切断物に対する切断刃の刃先の押圧力が、あらかじめ設定された大きさ以上被切断物に負荷されないように調整可能に構成された切断工具が提案されている。例えば、特許文献１には、切断刃の刃先が外方に突出されるようにして該切断刃が取り付けられる取付部材と、刃先を切断対象物に対して近接・離間させる方向に回動可能に前記取付部材を支持すると共に、作業者に把持される把持部を備えた本体部材と、取付部材と前記本体部材とを連結して、取付部材に対して、前記刃先を前記切断対象物に押し当てる押し当て方向に付勢力を及ぼす付勢部材と、本体部材に運動可能に支持されて、付勢部材と取付部材とを連結することにより、付勢部材による押し当て方向への付勢力を調整するリンク部材と、を有する切断補助装置を備えた切断工具が開示されている。この切断工具では、本体部材と切断刃の取付部材とは付勢部材を介して連結されており、刃先を切断対象物に向けて押し当てる作業者の力が、切断刃に直接に伝わらないようになっており、刃先を切断対象物に押し当てる押圧力は、付勢部材の付勢力による。この付勢力をリンク部材で調整することによって、被切断物に刃先を押圧する押圧力を所望の値に設定することができ、切断刃の刃先が、被切断物を貫通して、切断する必要がない壁、床等を傷つけることを防止することができる。
【先行技術文献】
【特許文献】
【０００４】
【特許文献１】特許第４４５７１７１号公報
【発明の概要】
【発明が解決しようとする課題】
【０００５】
上述の効果を奏するためには、被切断物に応じて適切な押圧力をあらかじめ設定する必要がある。しかし、適切な押圧力を設定するためには、まず適当な押圧力を設定して被切断物を切断してから、その切断状態を見ながら押圧力を調整して切断することを繰り返して設定しなければならず、手間、時間がかかるという問題があった。
【０００６】
そこで、本発明は、被切断物に対する切断刃の刃先の押圧力を、簡単かつ迅速に設定することができる切断工具の押圧力設定装置及び切断工具の押圧力設定方法を提供することを目的とする。
【課題を解決するための手段】
【０００７】
本発明では、上記目的を実現するために、請求項１に記載の発明では、被切断物に対する切断刃の刃先の押圧力を調整する調整手段を備えた切断工具において押圧力を設定するための押圧力設定装置であって、被切断物を貫通する貫通部が形成され、当該貫通部が被切断物を貫通するための貫通力を負荷する貫通部材と、弾性部材を介して前記貫通部材に貫通力を負荷する負荷部材と、前記負荷部材と接続され、前記貫通部材により被切断物に負荷される貫通力に対応して前記負荷部材とともに移動するゲージ部材と、前記貫通部が被切断物を貫通したときに前記ゲージ部材を停止させる停止部材と、を備え、前記調整手段において設定する値を読み取り可能な目盛が、前記貫通部材が被切断物を貫通するまでに前記ゲージ部材が移動する移動量に対応して設けられている、という技術的手段を用いる。
【０００８】
請求項１に記載の発明によれば、負荷部材を操作して弾性部材を介して貫通部材により被切断物に貫通力を負荷し、貫通部材が被切断物を貫通したときに、停止部材の作動により停止するゲージ部材により目盛の値を読み取り、切断工具の調整手段を設定することにより、被切断物に対する切断工具の刃先の押圧力を、被切断物のみを切断するために必要な押圧力に設定することができる。このように、一度の操作で、簡単かつ迅速に適切な押圧力を設定することができる。また、貫通部材が被切断物を貫通したときに、停止部材の作動によりゲージ部材を停止させるため、切断工具の調整手段を設定するための目盛の値を確実かつ正確に読み取ることができ、押圧力を正確に設定することができる。
【０００９】
請求項２に記載の発明では、請求項１に記載の切断工具の押圧力設定装置において、前記停止部材は、前記ゲージ部材が挿通される孔部を有しており、前記貫通部材は前記停止部材に係止可能な係止部を備えており、前記貫通部が被切断物を貫通したときに前記係止部が前記停止部材に係止し、前記停止部材が前記ゲージ部材に接触することにより前記ゲージ部材を停止させる、という技術的手段を用いる。
【００１０】
請求項２に記載の発明によれば、簡単な構造の停止部材でゲージ部材を停止させることができる。
【００１１】
請求項３に記載の発明では、請求項１または請求項２に記載の切断工具の押圧力設定装置において、前記負荷部材を貫通力の負荷方向と反対方向に付勢する付勢部材を備えた、という技術的手段を用いる。
【００１２】
請求項３に記載の発明によれば、付勢部材により負荷部材が貫通力の負荷方向と反対方向に付勢されているので、目盛の読み取り後に負荷部材による負荷を解除することにより、負荷部材を測定前の位置に容易に戻すことができる。
【００１３】
請求項４に記載の発明では、切断工具の押圧力設定方法であって、被切断物に対する切断刃の刃先の押圧力を調整する調整手段を備えた切断工具と、請求項１ないし請求項３のいずれか１つに記載の切断工具の押圧力設定装置と、を用意し、被切断物を前記貫通部材の貫通部に対向させて配置し、前記負荷部材を操作して前記貫通部材により貫通力を増大させながら被切断物を押圧し、前記貫通部材が被切断物を貫通したときの目盛の値を読み取り、その目盛の値に基づき前記切断部材の調整手段により押圧力を設定する、という技術的手段を用いる。
【００１４】
請求項４に記載の発明によれば、負荷部材を操作して弾性部材を介して貫通部材により被切断物に貫通力を負荷し、貫通部材が被切断物を貫通したときに、停止部材の作動により停止するゲージ部材により目盛の値を読み取り、切断工具の調整手段を設定することにより、被切断物に対する切断工具の刃先の押圧力を、被切断物のみを切断するために必要な押圧力に設定することができる。このように、一度の操作で、簡単かつ迅速に適切な押圧力を設定することができる。また、貫通部材が被切断物を貫通したときに、停止部材に作動によりゲージ部材を停止させるため、切断工具の調整手段を設定するための目盛の値を確実かつ正確に読み取ることができ、押圧力を正確に設定することができる。
【図面の簡単な説明】
【００１５】
【図１】切断工具の一例を示す説明図である。
【図２】押圧力設定装置の構成を示す斜視図である。
【図３】押圧力設定装置の構成を示す透視図である。
【図４】押圧力の設定方法を示す透視図である。
【図５】押圧力の設定方法を示す斜視図である。
【図６】押圧力設定装置の変更例の構成を示す透視図である。
【発明を実施するための形態】
【００１６】
本発明の切断工具の押圧力設定装置及び切断工具の押圧力設定方法について図を参照して説明する。
【００１７】
壁紙、カーペット、薄板等の建築資材、などの被切断物Ｓを切断するための押圧力を調整可能な切断工具２としては、例えば、図１に示すような、特許文献１に開示されている切断補助装置２０に対して、カッターナイフを取り付けた切断工具２を用いることができる。
【００１８】
切断補助装置２０は、カッターナイフの切断刃２１の刃先２１ａが外方に突出されるようにして切断刃２１が取り付けられる取付部材２２と、刃先２１ａを被切断物Ｓに対して近接・離間させる方向に回動可能に取付部材２２を支持するとともに、作業者に把持される把持部２３ａを備えた本体部材２３と、取付部材２２と本体部材２３とを連結して、取付部材２２に対して、刃先２１ａを被切断物Ｓに押し当てる押し当て方向に押圧力を及ぼす押圧力付勢部材２４と、本体部材２３に運動可能に支持されて、押圧力付勢部材２４と取付部材２２とを連結することにより、押圧力付勢部材２４による押し当て方向への押圧力を調整するリンク部材２５と、押圧力を調整し、設定する調整手段２６と、を備えている。ここで、押圧力付勢部材２４はリンク部材２５とワイヤ２４ｂにより接続された引張りコイルスプリング２４ａからなり、調整手段２６は、前後（図の左右方向）に移動可能に構成され、引張りコイルスプリング２４ａの長さを変更することにより、刃先２１ａによる被切断物Ｓの押圧力の調整を行うことができる。調整手段２６の移動方向には押圧力を設定するための数値などの目盛が表示された設定目盛２６ａが設けられている。引張りコイルスプリング２４ａの長さは、調整手段２６を移動させ、設定目盛２６ａの所定の数値に合わせることにより変更することができる。つまり、調整手段２６を設定目盛２６ａの所定の数値に合わせることにより、刃先２１ａによる被切断物Ｓの押圧力の調整を行うことができる。
【００１９】
切断工具２は、刃先２１ａを被切断物Ｓに当接させて切断するために刃先２１ａによる被切断物Ｓの押圧力を増大させると、これらの機構が連動して作動し、刃先２１ａを被切断物Ｓに向けて押し当てる作業者の力は切断刃２１に直接に伝わらず、刃先２１ａの押圧力は、押圧力付勢部材２４の付勢力によるところとなり、あらかじめ調整手段２６により設定された押圧力以上の押圧力が被切断物に負荷されないように構成されている。
【００２０】
図２及び図３に示すように、切断工具２の押圧力を設定するための押圧力設定装置１は、本体部１０と、壁紙やカーペットなどから切り出して用意した被切断物Ｓを貫通するための貫通力を負荷する貫通部材１１と、弾性部材１３、本実施形態では、ばね部材、を介して貫通部材１１に貫通力を負荷する負荷部材１２と、貫通部材により被切断物に負荷される貫通力に対応して負荷部材とともに移動するゲージ部材１４と、ゲージ部材１４を停止させる停止部材１５と、を備えている。
【００２１】
本体部１０は、負荷部材１２を挿通可能に形成された挿通部１０ａ、貫通部材１１を挿通可能に形成された挿通部１０ｂ、ゲージ部材１４を挿通可能に形成された挿通部１０ｃ、本体部１０に設けられた目盛Ｍの数値を読み取るために設けられたゲージ部材１４が露出する窓部である読み取り部１０ｄ、被切断物Ｓを載置し、貫通部材１１により貫通可能な位置に挟み込んで固定するステージ１０ｅと、を備えている。目盛Ｍは、切断工具２の刃先２１ａによる押圧力を調整手段２６で設定するための数値を、読み取り部１０ｄから露出するゲージ部材１４の移動量に対応して読み取り可能に構成され、貫通部材１１が被切断物Ｓを貫通するまでにゲージ部材１４が移動する移動量に対応して設けられている。
【００２２】
貫通部材１１は、鋭利な先端（例えば、針状）を備え被切断物Ｓを貫通する貫通部１１ａを一端に備えた中空状部材１１ｂに、他端の開口部の近傍に外方に張り出して係止部１１ｃが設けられた部材である。貫通部材１１は、本体部１０の長手方向に移動可能に支持されている。中空状部材１１ｂには弾性部材１３が内装されており、負荷部材１２が弾性部材１３を押圧することにより、貫通部材１１に被切断物Ｓを貫通するための貫通力を負荷することができる。図３では、弾性部材１３の中心に位置ずれを防止する芯材が設けられた構成が示されている。
【００２３】
負荷部材１２は、棒状に形成されており、一端が接続部材１６に接続されており、ゲージ部材１４と平行になるように配置されている。負荷部材１２は、本体部１０の挿通部１０ａから本体部１０内部に挿通されており、他端は弾性部材１３を押圧可能に配置されている。
【００２４】
ゲージ部材１４は、棒状に形成されており、貫通部材１１に隣接して配置されている。一端が接続部材１６に接続されており、他端は本体部１０の挿通部１０ｃから本体部１０の内部に挿通されており、本体部１０の長手方向に移動可能に支持されている。ゲージ部材１４の先端表面には、目盛Ｍを読み取るためのラインＬが描かれている。
【００２５】
ゲージ部材１４は、バネからなる付勢部材１７に挿通されており、付勢部材１７はゲージ部材１４を付勢することにより負荷部材１２を貫通力の負荷方向と反対方向に付勢する。
【００２６】
停止部材１５は、ゲージ部材１４が挿通される孔部を有した板状部材１５ａと、板状部材１５ａがゲージ部材１４に接触しないように保持するための、例えばゴムからなる保持部材１５ｂと、を備えている。板状部材１５ａの孔部はゲージ部材１４の外形寸法よりわずかに大きく形成されている。停止部材１５は、一端が保持部材１５ｂを介して本体部１０に固定されて設けられており、貫通部材１１が被切断物Ｓを貫通したときに係止部１１ｃが停止部材１５に係止するように配置されている。
【００２７】
次に、押圧力設定装置１による切断工具２の刃先２１ａの押圧力の設定方法について図４及び図５を参照して説明する。
【００２８】
図４（Ａ）に示すように、まず、被切断物Ｓをステージ１０ｅに載置して挟み込んで固定する。ステージ１０ｅは、停止部材１５と同様の構造を内蔵しており、被切断物Ｓを挟み込んだ状態で固定される。
【００２９】
負荷部材１２を被切断物Ｓに向けて操作すると、図４（Ｂ）に示すように弾性部材１３を介して貫通部材１１の貫通部１１ａの先端が被切断物Ｓに当接する。続いて、負荷部材１２を押圧する力を増大させると、弾性部材１３が圧縮されて縮むことにより、反力として被切断物Ｓに負荷される貫通力が増大する。
【００３０】
ここで、貫通部材１１は移動しないが、負荷部材１２及びゲージ部材１４は、負荷した貫通力の増大に伴い下方に移動する。ゲージ部材１４は、本体部１０の読み取り部１０ｄから露出し、被切断物Ｓを貫通するまでの移動量に対応して目盛Ｍを読み取り可能な状態になる。
【００３１】
このとき、貫通部材１１の係止部１１ｃは、停止部材１５の板状部材１５ａから離間している、または接触していても大きな力が負荷されていない。そのため、板状部材１５ａはゲージ部材１４と接触していないので、ゲージ部材１４は停止部材１５による拘束を受けずに移動することができる。
【００３２】
更に、貫通力を増大させると、図４（Ｃ）に示すように、貫通部材１１の貫通部１１ａが被切断物Ｓを貫通し、貫通部材１１が下方に変位する。貫通部材１１が下方に変位すると、係止部１１ｃが停止部材１５の板状部材１５ａの一端に係止し、板状部材１５ａが貫通力の負荷方向に対して傾斜する。板状部材１５ａに形成された孔部は、ゲージ部材１４の外形形状に対してわずかに大きいだけなので、板状部材１５ａがゲージ部材１４に接触し、ゲージ部材１４の移動を拘束して停止させる。
【００３３】
ゲージ部材１４が停止した状態で、図５に示すように、読み取り部１０ｄから露出したゲージ部材１４先端部に設けられた目盛読み取り用のラインＬが示す目盛Ｍの値を読み取り、その値で調整手段２６を設定する。被切断物Ｓを貫通したときの目盛Ｍの値は、切断工具２により被切断物Ｓのみを切断するために必要な押圧力に対応して設けられているため、被切断物Ｓに貫通部材１１を貫通させ、ゲージ部材１４により目盛Ｍを読み取るという簡単な操作で、切断工具２の適切な押圧力を設定することができる。
【００３４】
目盛Ｍの値を読み取った後、負荷部材１２による負荷を解除すると、付勢部材１７はゲージ部材１４を付勢するため、負荷部材１２は貫通力の負荷方向と反対方向に付勢される。これにより、負荷部材１２を測定前の位置に容易に戻すことができる。
【００３５】
（変更例）
被切断物Ｓは、実際の作業において一度に切断したい枚数を重ねて用意し、切断工具２の押圧力を設定することもできる。例えば、実際の作業において重ねて用意した被切断物を２枚ずつ切断したい場合には、２枚重ねた被切断物を用意し、同様の操作を行うことにより、押圧力を設定することができる。
【００３６】
本実施形態では、目盛Ｍは本体部１０に設けられているが、目盛Ｍをゲージ部材１４の表面に形成し、ゲージ部材１４が読み取り部１０ｄから露出した量に基づいて読み取る構成も採用することができる。
【００３７】
本発明の押圧力設定装置及び押圧力設定方法は、上述した切断工具２に限定されるものではなく、他の調整手段を備えた切断工具の押圧力設定にも用いることができる。また、切断工具は、直線刃のカッターナイフに限らず、各種形状の刃を有する切断工具を用いることができる。
【００３８】
［実施形態の効果］
本発明の切断工具の押圧力設定装置及び切断工具の押圧力設定方法によれば、一度の操作で、被切断物Ｓのみを切断するための適切な押圧力を、簡単、迅速かつ正確に設定することができる。
【００３９】
（その他の実施形態）
図６に示すように、押圧力設定装置１における負荷部材１２とゲージ部材１４とを一体的に形成した負荷部材３１を備え、負荷部材３１（ゲージ部材１４）の表面に目盛Ｍを形成した構成も押圧力設定装置３を採用することもできる。押圧力設定装置３では、停止部材１５は、負荷部材３１により挿通されている。また、貫通部材１１の係止部１１ｃは、貫通部１１ａの近傍に形成されている。係止部１１ｃと停止部材１５との間には、貫通部１１ａが被切断物Ｓを貫通したときに作動する貫通検出部材３２が設けられている。貫通検出部材３２は、図６（Ａ）に示すように、貫通部１１ａが被切断物Ｓを貫通する前には係止部１１ｃに係止しないが、貫通部１１ａが被切断物Ｓを貫通したときには、図６（Ｂ）に示すように係止部１１ｃが貫通検出部材３２に係止して貫通検出部材３２を下方に移動させ、貫通検出部材３２を介して停止部材１５の板状部材１５ａを貫通力の負荷方向に対して傾斜させて負荷部材３１の移動を拘束して停止させる。この構成では、例えば、本体部１０との境界部において目盛Ｍの数値を読み取ることができる。
【符号の説明】
【００４０】
１…押圧力設定装置
２…切断工具
１０…本体部
１１…貫通部材
１１ａ…貫通部
１１ｂ…中空状部材
１１ｃ…係止部
１２…負荷部材
１３…弾性部材
１４…ゲージ部材
１５…停止部材
１５ａ…板状部材
１５ｂ…保持部材
１６…接続部材
１７…付勢部材
２０…切断補助装置
２１…切断刃
２１ａ…刃先
２２…取付部材
２３…本体部材
２４…押圧力付勢部材
２５…リンク部材
２６…調整手段
２６ａ…設定目盛
Ｍ…目盛
Ｓ…被切断物
【図１】
2015031615.tif 000003
【図２】
2015031615.tif 000004
【図３】
2015031615.tif 000005
【図４】
2015031615.tif 000006
【図５】
2015031615.tif 000007
【図６】
2015031615.tif 000008